(57)【要約】      （修正有）【課題】軽量で、取り扱いも容易であり、かつ、保温性に優れ、寝袋としても使用できる、寝袋付き担架を提供する。【解決手段】敷布部１、右掛布部２、左掛布部３、足元布部４の４つの部材を縫い合わせて構成されている寝袋付き担架であって、敷布部１は、表面から不織布、中綿、ビニール素材の３層で構成されており、寝袋付き担架を持ち運ぶための持ち手５１〜５８が、敷布部１の裏面に縫い付けられており、少なくとも右掛布部２、左掛布部３のそれぞれは、表面から不織布、アルミ蒸着シート、不織布の３層で構成されているので、軽量で取り扱いが容易である上に保温性が高く、搬送される者の保温対策を別途必要とすることがない。【選択図】図１
0003183447.tif 000002
【実用新案登録請求の範囲】
【請求項１】
敷布部、右掛布部、左掛布部、足元布部の４つの部材を縫い合わせて構成されている寝袋付き担架であって、
前記敷布部は、表面から不織布、中綿、ビニール素材の３層で構成されており、
前記寝袋付き担架を持ち運ぶための持ち手が、前記敷布部の裏面に縫い付けられており、
少なくとも前記右掛布部、前記左掛布部のそれぞれは、表面から不織布、アルミ蒸着シート、不織布の３層で構成されている
ことを特徴とする寝袋付き担架。
【考案の詳細な説明】
【技術分野】
【０００１】  この考案は、寝袋としても使用できる、寝袋付き担架に関するものである。
【背景技術】
【０００２】  従来より、災害、事故、病気等の緊急時に怪我人等を搬送するための用具として、担架が使用されている。一般的には、左右一対の支持棒の間にシート状の布を張って構成されており、簡易に製造できるため、長年使用されてきた。【０００３】  しかし、このような担架の場合、支持棒には鉄製のパイプが使用されていることが多いため、重量があり、持ち運びや取り扱いが大変で、救助作業にも影響するという問題があった。
そこで、近年では、例えば特許文献１に開示されているように、軽量化をはかり、取り扱いを容易にした担架が考案されている。
【先行技術文献】
【特許文献】
【０００４】
【特許文献１】特開２００３−２３０５９６号公報
【考案の概要】
【考案が解決しようとする課題】
【０００５】  しかしながら、例えば特許文献１に示すような従来の担架では、軽量でコンパクトに持ち運ぶことができるというメリットはあるものの、災害現場や山間部などの不安定な場所では、搬送者の足場を確保しながら搬送することが難しいという課題があった。また、保温性については考慮されておらず、搬送される者に対して別途、保温対策をとらなければならず、搬送される者の保護という意味でも、万全とは言えないという課題もあった。【０００６】  この考案は、上記のような課題を解決するためになされたものであり、軽量で、取り扱いも容易であり、かつ、保温性に優れ、寝袋としても使用できる、寝袋付き担架を提供することを目的とする。
【課題を解決するための手段】
【０００７】  上記目的を達成するため、この考案は、敷布部、右掛布部、左掛布部、足元布部の４つの部材を縫い合わせて構成されている寝袋付き担架であって、前記敷布部は、表面から不織布、中綿、ビニール素材の３層で構成されており、前記寝袋付き担架を持ち運ぶための持ち手が、前記敷布部の裏面に縫い付けられており、少なくとも前記右掛布部、前記左掛布部のそれぞれは、表面から不織布、アルミ蒸着シート、不織布の３層で構成されていることを特徴とする。
【考案の効果】
【０００８】  この考案の寝袋付き担架によれば、軽量で取り扱いが容易である上に保温性が高く、搬送される者の保温対策を別途必要とすることがない。また、足場の不安定な場所でもあっても、搬送者も動きやすい上に、寝袋としても使用できるため、搬送に時間がかかる場合であっても、保温性を保つことができる。
【図面の簡単な説明】
【０００９】
【図１】  この考案の実施の形態における寝袋付き担架を表面側から見た全体構成を示す平面図である。
【図２】  図１に示す寝袋付き担架を裏面側から見た背面図である。
【図３】  敷布部の構造を示す断面概略図である。
【図４】  右掛布部、左掛布部の構造を示す断面概略図である。
【図５】  この考案の実施の形態における寝袋付き担架を裏面側から見た背面図の別の例である。
【図６】  図１の状態から足元布部を開いた状態を示す図である。
【図７】  図６の状態から左掛布部を開いた状態を示す図である。
【図８】  図７の状態から右掛布部を開いた状態を示す図である。
【考案を実施するための形態】
【００１０】  以下、この考案の実施の形態について、図面を参照しながら詳細に説明する。
図１は、この考案における寝袋付き担架を表面側から見た全体構成を示す平面図である。また、図２は、図１に示す寝袋付き担架を裏面側から見た背面図である。
【００１１】  この寝袋付き担架は、敷布部１、右掛布部２、左掛布部３、足元布部４の４つの部材、および、この担架を持ち運ぶための持ち手５１〜５８から構成されており、基本的には、災害、事故、病気等の緊急時に怪我人等を搬送する担架である。
【００１２】  持ち手５１〜５８は、図１および図２に示すように、搬送される怪我人等の両側であって、敷布部１の裏面に全部で８つ縫い付けられており、通常は４人で搬送することができるようになっている。ただし、搬送する足場の悪さ等に合わせて、５人以上で持ち運ぶようにしても構わない。また、持ち手の数についても８つに限らず、例えば６人で搬送することができるように、１２個の持ち手が縫い付けられていてもよい。
【００１３】  図３は、敷布部１の構造を示す断面概略図である。
敷布部１は、図３に示すように、表面から、不織布１１、中綿１２、ビニール素材１３の３層で構成されている。すなわち、図２は、敷布部１のビニール素材１３が見えている状態を示している。
【００１４】  図４は、右掛布部２、左掛布部３の構造を示す断面概略図である。
右掛布部２、左掛布部３の２つの部材は、それぞれ、表面から不織布１１、アルミ蒸着シート２１、不織布１１の３層で構成されている。
また、足元布部４は、表面から不織布１１、中綿１２、不織布１１の３層で構成されている（図示省略）。なお、足元布部４も、右掛布部２、左掛布部３と同様にアルミ蒸着シート２１をはさんだ３層構造であっても構わない。
また、敷布部１、右掛布部２、左掛布部３、足元布部４の４つの部材は、それぞれの不織布１１の表面に、撥水加工が施されている。
【００１５】  また、持ち手５１〜５８は、例えばアクリル素材などの丈夫な紐部材で構成されており、敷布部１、右掛布部２、左掛布部３、足元布部４のそれぞれの部材の接続部分も、持ち手５１〜５８と同じ素材の紐部材で縫製されている（図示省略）。また、敷布部１、右掛布部２、左掛布部３、足元布部４のそれぞれの部材の接続部分以外の縁部にも、持ち手５１〜５８と同じ素材の紐部材が縫い付けられている（図示省略）。
【００１６】  図５は、この寝袋付き担架を裏面側から見た背面図の別の例を示す図である。
図２に示すように、８つの持ち手５１〜５８は、それぞれが独立して取り付けられていてもよいし、図５に示すように、搬送される怪我人等の両側の持ち手一対ずつ、すなわち、持ち手５１と５２、５３と５４、５５と５６、５７と５８が、それぞれ１本の紐部材で構成されており、敷布部１の裏面に縫い付けられていてもよい。
【００１７】  この図５に示すように、搬送される怪我人等の両側の持ち手一対ずつを１本の紐部材で構成した場合には、敷布部１の裏面に縫い付けられたこれら持ち手の紐部材が、怪我人等をより安定した状態で保持する補助部材としての役目も担うことになり、怪我人等をより安定した状態で搬送することができる、というメリットがある。
【００１８】  図６は、図１の状態から足元布部４を開いた状態を示す図である。また、この図６は、図１の状態から左掛布部３を少しだけ折り返した状態も示している。
図６に示すように、右掛布部２と左掛布部３の合わせ部分、および、右掛布部２と左掛布部３に足元布部４を合わせる部分には、それぞれマジックテープ６が縫い付けられており、怪我人等を敷布部１に寝かせた後、簡単に右掛布部２、左掛布部３、足元布部４で包むことができるようになっている。
【００１９】  そして、図４に示すように、右掛布部２、左掛布部３、足元布部４の内部にはそれぞれアルミ蒸着シート２１が縫製されていることにより、保温性に優れたものとなっている。また、それぞれの部材の表面に撥水加工が施されていることにより、雨天であっても搬送される怪我人等が濡れることがないので、天候にかかわらず保温性を保ったまま使用することが可能である。
【００２０】  このようにすることにより、この担架は、寝袋として使用することも可能なものとなっている。そして、寝袋としても使用できるため、天候が悪い場合や山間部等で、怪我人等の搬送に時間がかかる場合であっても、搬送される怪我人等の保温性を保つことができる。
【００２１】  また、図７は、図６の状態からさらに左掛布部３を開いた状態を示す図である。さらに図８は、図７の状態から右掛布部２も開いた状態を示す図である。
右掛布部２の裏面の足元付近には、ポケット７が縫い付けられており、図８に示すように、足元側からカイロ１０を入れることができるようになっている。このようにカイロ用のポケット７を備えることにより、天候、季節、場所等に応じて、より保温性を保つ必要がある場合には、カイロ１０を入れて、柔軟に保温性を調節することが可能となる。
【００２２】  なお、ここでは、カイロ用のポケット７は、右掛布部２の裏面の足元部分にのみ設けているが、右掛布部２の裏側の中央付近や頭部に近い部分（図の左方向部分）にもポケットを設けてカイロ１０を入れることができるようにしてもよい。このようにすれば、より保温性を保つことができる。
また、この実施の形態では、右掛布部２が左掛布部３よりも内側（下側）になるため、より搬送される怪我人等に近い側の右掛布部２の裏面にカイロ用のポケット７を設けるようにしたが、左掛布部３が右掛布部２よりも内側（下側）である場合には、左掛布部３の裏面にカイロ用のポケット７を設けるようにすればよい。
【００２３】  このように、この寝袋付き担架は、すべての部材が柔軟な素材で構成されているため、コンパクトに収納することができ、また、全体でも約２．５ｋｇほどの軽量なものであるため、女性でも簡単に持ち運ぶことができる。
さらに、軽量であるにもかかわらず、１５０ｋｇの重量に耐える強度を持っている。
また、軽量であるため、搬送する人たちの寝袋として人数分を持っていく場合にもかさばらず、怪我人等の搬送に時間がかかる場合には、搬送する人たちの寝袋として使用することもできる。
【００２４】  以上のように、この実施の形態の寝袋付き担架によれば、軽量で取り扱いが容易である上に保温性が高く、搬送される者の保温対策を別途必要とすることがない。また、足場の不安定な場所でもあっても、搬送者も動きやすい上に、寝袋としても使用できるため、搬送に時間がかかる場合であっても、保温性を保つことができる。
【００２５】  なお、本願考案はその考案の範囲内において、実施の形態の任意の構成要素の変形、もしくは実施の形態の任意の構成要素の省略が可能である。
【符号の説明】
【００２６】１  敷布部
２  右掛布部
３  左掛布部
４  足元布部
６  マジックテープ
７  カイロ用ポケット
１０  カイロ
１１  不織布
１２  中綿
１３  ビニール素材
２１  アルミ蒸着シート
５１，５２，５３，５４，５５，５６，５７，５８  持ち手
【図１】
0003183447.tif 000003
【図２】
0003183447.tif 000004
【図３】
0003183447.tif 000005
【図４】
0003183447.tif 000006
【図５】
0003183447.tif 000007
【図６】
0003183447.tif 000008
【図７】
0003183447.tif 000009
【図８】
0003183447.tif 000010